(57)【要約】【課題】別途照明器具を設置することなく、非常時の避難誘導に対応できる照明装置を提供する。【解決手段】照明装置１０は複数の照明器具２０Ａ〜２０Ｅを有しており、通常時には通常照明として機能している。また、非常時には、照明器具２０Ａ〜２０Ｄを非常点灯させて出口１２に至るまでの道中を誘導するとともに、非常時には出口の照明器具２０Ｅはフラッシュ点滅で出口１２を知らせるので、別途照明器具を設置することなく、非常時の避難誘導に対応できる。【選択図】図２
2012069486.tif 000002
【特許請求の範囲】
【請求項１】
複数の照明器具を有し、
前記照明器具が、
通常時は通常照明として機能し、
非常時には前記照明器具を非常点灯させて出口に至るまでの道中を誘導するとともに、
非常時には前記出口の照明器具はフラッシュ点滅で出口を知らせる照明装置。
【請求項２】
請求項１に記載の照明装置において、
非常時には前記照明器具を通常照明よりも明るく点灯させる照明装置。
【請求項３】
請求項１または請求項２に記載の照明装置において、
停電時に前記照明器具を点灯させる非常時電源を有する照明装置。
【発明の詳細な説明】
【技術分野】
【０００１】
本発明は、非常時に複数の照明器具を点灯させて人を出口に誘導する照明装置に関するものである。
【背景技術】
【０００２】
近年、大型公共施設や大規模地下街等の施設が増加し、万一の時の避難経路の長距離化、複雑化の一途をたどっている。災害時における避難誘導灯の危機管理は、このような不特定多数の人が集まる施設のみならず、マンション等の住居においても一層重要視されつつある。
そこで、従来より、複数の発光体を時系列に順次点灯させ、点灯順序の方向に人を誘導する点灯制御システムが知られている（例えば、特許文献１参照）。
【０００３】
図６に示すように、特許文献１に記載の点灯制御システム１００は、複数の発光ダイオードユニット１０１（１０１Ａ，１０１Ｂ，・・・）と、誘導路周辺の明るさを検知する明るさセンサ１０２と、明るさセンサ１０２の検知信号を受けて発光ダイオードユニット１０１を点灯制御する制御装置１０３と、を備える。
発光ダイオードユニット１０１は、避難用の誘導路に沿って、その床面に埋没するように所定間隔で配置されており、制御装置１０３および電源１０４に接続される。
【０００４】
そして、制御装置１０３が点灯制御システム１００に接続された警報装置等（図示せず）からの警報信号等を受信すると、制御装置１０３は、所定の点灯パターンで発光ダイオードユニット１０１を点灯させる。各発光ダイオードユニット１０１には夫々アドレス番号（ここでは、１０１Ａ，１０１Ｂ，１０１Ｃ・・・，１０１Ｆとする）が設定されており、制御装置１０３は、アドレス番号に対応する発光ダイオードユニット１０１の夫々を所定の点灯パターンで点灯させて、人Ｍを出口へ誘導する。
【先行技術文献】
【特許文献】
【０００５】
【特許文献１】特開２００８−１５８７５５号公報（第１図）
【発明の概要】
【発明が解決しようとする課題】
【０００６】
しかしながら、前述した特許文献１に記載の点灯制御システム１００は、通常時には使用されず、非常時にのみ使用するものであるため、通常の照明器具とは別個に設けられている。
このため、点灯装置、設置スペースおよび設置作業が別途必要であり、コストアップを招くという問題があった。
【０００７】
本発明は、従来の問題を解決するためになされたもので、別途照明器具を設置することなく、非常時の避難誘導に対応できる照明装置を提供することを目的とする。
【課題を解決するための手段】
【０００８】
本発明の照明装置は、複数の照明器具を有し、前記照明器具が、通常時は通常照明として機能し、非常時には前記照明器具を非常点灯させて出口に至るまでの道中を誘導するとともに、非常時には前記出口の照明器具はフラッシュ点滅で出口を知らせるものである。
【０００９】
また、本発明の照明装置は、非常時には前記照明器具を通常照明よりも明るく点灯させるものである。
【００１０】
さらに、本発明の照明装置は、停電時に前記照明器具を点灯させる非常時電源を有するものである。
【発明の効果】
【００１１】
本発明の照明装置は、複数の照明器具を有しており、通常時には通常照明として機能している。また、非常時には、照明器具を非常点灯させて出口に至るまでの道中を誘導するとともに、非常時には出口の照明器具はフラッシュ点滅で出口を知らせるので、別途照明器具を設置することなく、非常時の避難誘導に対応できるという効果を有する照明装置を提供できる。
【図面の簡単な説明】
【００１２】
【図１】本発明に係る実施形態の照明装置の概略構成図
【図２】本発明に係る実施形態の照明装置の制御系統図
【図３】本発明に係る実施形態の照明装置の制御ブロック図
【図４】照明器具の点灯パターンの一例を示すタイムチャート
【図５】照明器具の点灯パターンの別の例を示すタイムチャート
【図６】従来の照明装置の概略構成図
【発明を実施するための形態】
【００１３】
以下、本発明に係る実施形態の照明装置について、図面を用いて説明する。
図１に示すように、本発明に係る実施形態の照明装置１０は、通常時においては，通路やホール等の照明空間１１を通常照明する複数の照明器具２０（２０Ａ，２０Ｂ，２０Ｃ・・２０Ｅ）を有する。
なお、照明空間１１の出口１２に最も近い照明器具２０を照明器具２０Ｅで示すこととする。
【００１４】
図２に示すように、各照明器具２０は、制御装置３０に接続されており、点灯および消灯の制御を受ける。
照明器具２０は、各々光源２１，電源回路２２，充電回路２３等を有する。光源２１としては、ＬＥＤを用いることができる。電源回路２２は商用電源１３（図３参照）に接続されており、制御装置３０からの信号に基づいて光源２１を点灯させる。また、充電回路２３には非常時電源としてのバッテリ２４が接続されており、常時、商用電源からの電力により充電されている。
これにより、停電時には、バッテリ２４から電力の供給を受けて、照明器具２０は点灯可能となる。
【００１５】
図３に示すように、制御装置３０は、各照明器具２０の点灯を制御する制御部３１、商用電源１３に接続された充電回路３２、充電回路３２により充電され非常時に制御部３１に電力を供給するバッテリ３３、非常時であることを検知する非常検知手段３４等を有する。
【００１６】
非常検知手段３４は、火災報知器が作動した場合に、火災報知器から発せられる火災であることを知らせる信号を受信して、火災が発生したことを検知する。
あるいは、火災報知器は作動していないが、停電した場合には、電力の供給が途絶えることから停電であることを検知する。
【００１７】
制御部３１は、通常時には、照明器具２０Ａ〜２０Ｅを通常の状態で点灯させて、通常の照明として作動させる。
一方、非常検知手段３４からの信号により、非常時であることを検知した場合には、照明器具２０Ａ〜２０Ｄを非常点灯させて出口１２に至るまでの道中を誘導するとともに、出口１２の照明器具２０Ｅをフラッシュ点滅させて出口１２の場所を知らせる。
なお、非常時には、照明器具２０Ａ〜２０Ｅを通常照明時の明るさよりも明るく点灯させることが望ましい。
【００１８】
次に、照明器具２０を非常点灯させて出口１２に至るまでの道中を誘導する点灯動作について説明する。
図４に示すように、通常時には、照明器具２０Ａ〜２０Ｅを通常の照明器具として点灯させる。一方、制御装置３０の非常検知手段３４が非常時であることを検知すると、出口１２（図１参照）から最も遠い場所に設けられている照明器具２０Ａが、通常時の点灯よりも明るい点灯を開始する。
【００１９】
一定時間経過後、次の照明器具２０Ｂが点灯を開始する。さらに、一定時間経過後、次の照明器具２０Ｃが点灯を開始する。出口１２に２番目に近い照明器具２０Ｄが点灯を開始して、一定時間点灯した後に、照明器具２０Ａ〜２０Ｄが消灯し、再び、照明器具２０Ａから同様に点灯を開始する。以後、これを繰り返す。
【００２０】
これにより、出口１２に向かって、順次一定時間遅れて点灯が開始するので、出口１２に向かって点灯の開始が移動する。
この間、出口１２に最も近い照明器具２０Ｅは、短い間隔でフラッシュ点滅を繰り返す。
【００２１】
あるいは、図５に示すように、通常時には、照明器具２０Ａ〜２０Ｅを通常の照明器具として点灯させ、制御装置３０の非常検知手段３４が非常時であることを検知すると、出口１２（図１参照）から最も遠い場所に設けられている照明器具２０Ａが、通常時の点灯よりも明るく点灯して一定時間経過後に消灯する。照明器具２０Ａが消灯したら、次の照明器具２０Ｂが点灯して一定時間経過後に消灯する。さらに、照明器具２０Ｂが消灯したら、次の照明器具２０Ｃが点灯して一定時間経過後に消灯する。
以後、これを繰り返す。
【００２２】
これにより、出口１２に向かって、順次照明器具２０が点灯するので、出口１２に向かって点滅が移動する。
この間、出口１２に最も近い照明器具２０Ｅは、短い間隔でフラッシュ点滅を繰り返す。
【００２３】
以上、説明した本発明に係る実施形態の照明装置１０によれば、照明装置１０は複数の照明器具２０Ａ〜２０Ｅを有しており、通常時には通常照明として機能している。また、非常時には、照明器具２０Ａ〜２０Ｄを非常点灯させて出口１２に至るまでの道中を誘導するとともに、出口１２に最も近い照明器具２０Ｅは短い間隔でフラッシュ点滅して出口１２を知らせるので、別途照明器具を設置することなく、非常時の避難誘導に対応できる。
【００２４】
また、本発明に係る実施形態の照明装置１０によれば、非常時には照明器具２０Ａ〜２０Ｅを通常照明よりも明るく点灯させるので、非常時であることが分かるとともに、明確に誘導できる。
【００２５】
さらに、本発明に係る実施形態の照明装置１０によれば、停電時に照明器具２０Ａ〜２０Ｅを点灯させるバッテリ２４を有するので、非常時において停電した際でも照明器具２０Ａ〜２０Ｅを点灯でき、確実に出口１２まで誘導できる。
【００２６】
なお、本発明の照明装置は、前述した実施形態に限定されるものでなく、適宜な変形，改良等が可能である。
例えば、前述した実施形態において、光源２１としてＬＥＤを用いている場合を例示したが、本発明はその他の光源にも適用可能である。
【符号の説明】
【００２７】
１０  照明装置
１２  出口
２０Ａ〜２０Ｄ  照明器具
２０Ｅ  出口の照明器具
２４  バッテリ（非常時電源）
【図１】
2012069486.tif 000003
【図２】
2012069486.tif 000004
【図３】
2012069486.tif 000005
【図４】
2012069486.tif 000006
【図５】
2012069486.tif 000007
【図６】
2012069486.tif 000008